【手続補正書】
【提出日】平成26年4月14日(2014.4.14)
【手続補正１】
【補正対象書類名】特許請求の範囲
【補正対象項目名】全文
【補正方法】変更
【補正の内容】
【特許請求の範囲】
【請求項１】
サーバが、データ項目の複数のコンテンツクレームを受けるステップであって、前記データ項目の前記複数のコンテンツクレームは、複数の異なる発行元によって送出されたコンテンツクレームを含み、前記発行元は前記データ項目を悪意のあるコンテンツについてスキャンし、前記データ項目の前記複数のコンテンツクレームのうちの各コンテンツクレームは、該コンテンツクレームを送出した発行元を識別し、該発行元によって実行されたスキャンのタイミング及び結果を示し、該発行元によってハッシュ関数を用いて計算された前記データ項目のデジタルフィンガープリントと共に送出される、ステップと、
前記サーバが、前記データ項目の前記複数のコンテンツクレームをデータベースに記憶するステップであって、該データベースは、前記データ項目の前記複数のコンテンツクレームのうちの各コンテンツクレームを、該コンテンツクレームと共に送出された前記データ項目のデジタル署名と関連付ける、ステップと、
前記サーバが、前記データ項目の前記複数のコンテンツクレームのうちの２以上のコンテンツクレームであって、異なる発行元によって前記データ項目の同じデジタルフィンガープリントと共に送出された２以上のコンテンツクレームをグループ化するステップであって、前記データ項目の同じデジタルフィンガープリントは、前記異なる発行元によって特定のハッシュ関数を用いて計算された、ステップと、
前記サーバが、コンピューティングデバイスから、１つのデータに関連付けられた既存のコンテンツクレームを取得する要求を受けるステップであって、該要求は前記１つのデータの求められたデジタルフィンガープリントを含み、該求められたデジタルフィンガープリントは、前記コンピューティングデバイスによって前記特定のハッシュ関数を用いて計算された、ステップと、
前記サーバが、前記要求に応答して、前記データ項目の前記複数のコンテンツクレームのうちの前記異なる発行元によって送出された前記２以上のコンテンツクレームを含むコンテンツクレームのセットを、
前記１つのデータの前記求められたデジタルフィンガープリントが、前記２以上のコンテンツクレームの各々と関連付けられた前記データ項目の同じデジタルフィンガープリントと一致し、
前記２以上のコンテンツクレームの各々が所定の時間内に発行された
と判定されたときに取得するステップと、
前記サーバが、前記コンピューティングデバイスに前記コンテンツクレームのセットを返して、前記コンピューティングデバイスが前記１つのデータを悪意あるコンテンツについてスキャンするかどうかを判定可能にするステップと
を含む方法。
【請求項２】
請求項１に記載の方法であって、
前記サーバが、前記データ項目の新たなコンテンツクレームを受けるステップと、
前記サーバが、前記データ項目の前記新たなコンテンツクレームを、前記データ項目の任意の記憶されたコンテンツクレームであって前記新たなコンテンツクレームと共に送出された前記データ項目のデジタルフィンガープリントと関連付けられた任意の記憶されたコンテンツクレームに対して評価するステップと
をさらに含む方法。
【請求項３】
請求項１に記載の方法であって、前記サーバが、前記データ項目の前記複数のコンテンツクレームのうちの各コンテンツクレームが信頼された発行元によって送出されたことを検証するステップをさらに含む方法。
【請求項４】
請求項１に記載の方法であって、前記コンテンツクレームのセットを、前記要求を送った前記コンピューティングデバイスに伝送するために用いるメッセージをデジタルに署名するステップをさらに含む方法。
【請求項５】
請求項１に記載の方法であって、前記サーバが、前記データ項目の前記複数のコンテンツクレームのうちの各コンテンツクレームに対するコンテンツ証明書を受けるステップであって、各コンテンツ証明書は、信頼された証明機関によって署名され前記コンテンツクレームを作成するために用いられた製品を識別する、ステップをさらに含む方法。
【請求項６】
請求項１に記載の方法であって、前記コンテンツクレームのセットは、
第１の発行元によって実行されたウイルス対策スキャンの結果を示すコンテンツクレームと、
第２の発行元によって実行されたマルウェアスキャンの結果を示すコンテンツクレームと
を含む、方法。
【請求項７】
請求項２に記載の方法であって、
前記データ項目の前記複数のコンテンツクレームのうちの各コンテンツクレームは、前記スキャンを実行するために用いられるウイルス対策アプリケーションと、該ウイルス対策アプリケーションのバージョンとをさらに識別し、
前記データ項目の前記新たなコンテンツクレームは、前記コンピューティングデバイスによって、前記１つのデータに関して、前記２以上のコンテンツクレームのうちの少なくとも１つによって識別されるウイルス対策アプリケーションのより新しいバージョンを用いて実行されたスキャンのタイミング及び結果を示す、
方法。
【請求項８】
コンピュータに方法を実行させるプログラムであって、該方法は、
データ項目の複数のコンテンツクレームを受けるステップであって、前記データ項目の前記複数のコンテンツクレームは、複数の異なる発行元によって送出されたコンテンツクレームを含み、前記発行元は前記データ項目を悪意のあるコンテンツについて評価し、前記データ項目の前記複数のコンテンツクレームのうちの各コンテンツクレームは、該コンテンツクレームを送出した発行元を識別し、該発行元によって実行されたスキャンのタイミング及び結果を示し、該発行元によってハッシュ関数を用いて計算された前記データ項目のデジタルフィンガープリントと共に送出される、ステップと、
前記データ項目の前記複数のコンテンツクレームをデータベースに記憶するステップであって、該データベースは、前記データ項目の前記複数のコンテンツクレームのうちの各コンテンツクレームを、該コンテンツクレームと共に送出された前記データ項目のデジタル署名と関連付ける、ステップと、
前記データ項目の前記複数のコンテンツクレームのうちの２以上のコンテンツクレームであって、異なる発行元によって前記データ項目の同じデジタルフィンガープリントと共に送出された２以上のコンテンツクレームをグループ化するステップであって、前記データ項目の同じデジタルフィンガープリントは、前記異なる発行元によって特定のハッシュ関数を用いて計算された、ステップと、
コンピューティングデバイスから、１つのデータに関連付けられた既存のコンテンツクレームを取得する要求を受けるステップであって、該要求は前記１つのデータの求められたデジタルフィンガープリントを含み、該求められたデジタルフィンガープリントは、前記コンピューティングデバイスによって前記特定のハッシュ関数を用いて計算された、ステップと、
前記要求に応答して、前記データ項目の前記複数のコンテンツクレームのうちの前記異なる発行元によって送出された前記２以上のコンテンツクレームを含むコンテンツクレームのセットを、
前記１つのデータの前記求められたデジタルフィンガープリントが、前記２以上のコンテンツクレームの各々と関連付けられた前記データ項目の同じデジタルフィンガープリントと一致し、
前記２以上のコンテンツクレームの各々が所定の時間内に発行された
と判定されたときに取得するステップと、
前記コンピューティングデバイスに前記コンテンツクレームのセットを返して、前記コンピューティングデバイスが前記１つのデータを悪意あるコンテンツについてスキャンするかどうかを判定可能にするステップと
を含む、プログラム。
【請求項９】
請求項８に記載のプログラムであって、前記方法は、
前記データ項目の新たなコンテンツクレームを受けるステップと、
前記データ項目の前記新たなコンテンツクレームを、前記データ項目の任意の記憶されたコンテンツクレームであって前記新たなコンテンツクレームと共に送出された前記データ項目のデジタルフィンガープリントと関連付けられた任意の記憶されたコンテンツクレームに対して評価するステップと
をさらに含む、プログラム。
【請求項１０】
請求項８に記載のプログラムであって、前記方法は、前記データ項目の前記複数のコンテンツクレームのうちの各コンテンツクレームが信頼された発行元によって送出されたことを検証するステップをさらに含む、プログラム。
【請求項１１】
請求項８に記載のプログラムであって、前記方法は、前記コンテンツクレームのセットを、前記要求を送った前記コンピューティングデバイスに伝送するために用いるメッセージをデジタルに署名するステップをさらに含む、プログラム。
【請求項１２】
請求項８に記載のプログラムであって、前記方法は、前記データ項目の前記複数のコンテンツクレームのうちの各コンテンツクレームに対するコンテンツ証明書を受けるステップであって、各コンテンツ証明書は、信頼された証明機関によって署名され前記コンテンツクレームを作成するために用いられた製品を識別する、ステップをさらに含む、プログラム。
【請求項１３】
請求項８に記載のプログラムであって、前記コンテンツクレームのセットは、
第１の発行元によって実行されたウイルス対策スキャンの結果を示すコンテンツクレームと、
第２の発行元によって実行されたマルウェアスキャンの結果を示すコンテンツクレームと
を含む、プログラム。
【請求項１４】
請求項９に記載のプログラムであって、
前記データ項目の前記複数のコンテンツクレームのうちの各コンテンツクレームは、前記スキャンを実行するために用いられるウイルス対策アプリケーションと、該ウイルス対策アプリケーションのバージョンとをさらに識別し、
前記データ項目の前記新たなコンテンツクレームは、前記コンピューティングデバイスによって、前記１つのデータに関して、前記２以上のコンテンツクレームのうちの少なくとも１つによって識別されるウイルス対策アプリケーションのより新しいバージョンを用いて実行されたスキャンのタイミング及び結果を示す、
プログラム。
【請求項１５】
コンピュータ実行可能命令を実行するように構成されたプロセッサと、
メモリと
を備えたシステムであって、前記メモリは、
データ項目の複数のコンテンツクレームを受けるステップであって、前記データ項目の前記複数のコンテンツクレームは、複数の異なる発行元によって送出されたコンテンツクレームを含み、前記発行元は前記データ項目を悪意のあるコンテンツについて評価し、前記データ項目の前記複数のコンテンツクレームのうちの各コンテンツクレームは、該コンテンツクレームを送出した発行元を識別し、該発行元によって実行されたスキャンのタイミング及び結果を示し、該発行元によってハッシュ関数を用いて計算された前記データ項目のデジタルフィンガープリントと共に送出される、ステップと、
前記データ項目の前記複数のコンテンツクレームをデータベースに記憶するステップであって、該データベースは、前記データ項目の前記複数のコンテンツクレームのうちの各コンテンツクレームを、該コンテンツクレームと共に送出された前記データ項目のデジタル署名と関連付ける、ステップと、
前記データ項目の前記複数のコンテンツクレームのうちの２以上のコンテンツクレームであって、異なる発行元によって前記データ項目の同じデジタルフィンガープリントと共に送出された２以上のコンテンツクレームをグループ化するステップであって、前記データ項目の同じデジタルフィンガープリントは、前記異なる発行元によって特定のハッシュ関数を用いて計算された、ステップと、
コンピューティングデバイスから、１つのデータに関連付けられた既存のコンテンツクレームを取得する要求を受けるステップであって、該要求は前記１つのデータの求められたデジタルフィンガープリントを含み、該求められたデジタルフィンガープリントは、前記コンピューティングデバイスによって前記特定のハッシュ関数を用いて計算された、ステップと、
前記要求に応答して、前記データ項目の前記複数のコンテンツクレームのうちの前記異なる発行元によって送出された前記２以上のコンテンツクレームを含むコンテンツクレームのセットを、
前記１つのデータの前記求められたデジタルフィンガープリントが、前記２以上のコンテンツクレームの各々と関連付けられた前記データ項目の同じデジタルフィンガープリントと一致し、
前記２以上のコンテンツクレームの各々が所定の時間内に発行された
と判定されたときに取得するステップと、
前記コンピューティングデバイスに前記コンテンツクレームのセットを返して、前記コンピューティングデバイスが前記１つのデータを悪意あるコンテンツについてスキャンするかどうかを判定可能にするステップと
を実行させるためのコンピュータ実行可能命令を記憶した、システム。
【請求項１６】
請求項１５に記載のシステムであって、前記メモリは、
前記データ項目の新たなコンテンツクレームを受けるステップと、
前記データ項目の前記新たなコンテンツクレームを、前記データ項目の任意の記憶されたコンテンツクレームであって前記新たなコンテンツクレームと共に送出された前記データ項目のデジタルフィンガープリントと関連付けられた任意の記憶されたコンテンツクレームに対して評価するステップと
を実行させるためのコンピュータ実行可能命令をさらに記憶した、システム。
【請求項１７】
請求項１５に記載のシステムであって、前記メモリは、
前記データ項目の前記複数のコンテンツクレームのうちの各コンテンツクレームが信頼された発行元によって送出されたことを検証するステップ
を実行させるためのコンピュータ実行可能命令をさらに記憶した、システム。
【請求項１８】
請求項１５に記載のシステムであって、前記メモリは、
前記コンテンツクレームのセットを、前記要求を送った前記コンピューティングデバイスに伝送するために用いるメッセージをデジタルに署名するステップ
を実行させるためのコンピュータ実行可能命令をさらに記憶した、システム。
【請求項１９】
請求項１５に記載のシステムであって、前記メモリは、
前記データ項目の前記複数のコンテンツクレームのうちの各コンテンツクレームに対するコンテンツ証明書を受けるステップであって、各コンテンツ証明書は、信頼された証明機関によって署名され前記コンテンツクレームを作成するために用いられた製品を識別する、ステップ
を実行させるためのコンピュータ実行可能命令をさらに記憶した、システム。
【請求項２０】
請求項１５に記載のシステムであって、前記コンテンツクレームのセットは、
第１の発行元によって実行されたウイルス対策スキャンの結果を示すコンテンツクレームと、
第２の発行元によって実行されたマルウェアスキャンの結果を示すコンテンツクレームと
を含む、システム。
【請求項２１】
請求項１６に記載のシステムであって、
前記データ項目の前記複数のコンテンツクレームのうちの各コンテンツクレームは、前記スキャンを実行するために用いられるウイルス対策アプリケーションと、該ウイルス対策アプリケーションのバージョンとをさらに識別し、
前記データ項目の前記新たなコンテンツクレームは、前記コンピューティングデバイスによって、前記１つのデータに関して、前記２以上のコンテンツクレームのうちの少なくとも１つによって識別されるウイルス対策アプリケーションのより新しいバージョンを用いて実行されたスキャンのタイミング及び結果を示す、
システム。